(57)【要約】      （修正有）【課題】ルアーを水中へ投下した際にも釣り針が疑似餌部に対して下向きに垂下した状態を維持でき、かつ釣り針が疑似餌部から外れず、また釣り針と楕円リングの組み付けが容易な釣り針を提供する。【解決手段】ルアー用の疑似餌部に取り付けられる連続した１本の金属線からなる釣り針１であって、一対のＪ字状のフック部１Ａの上端がループ状の取付け部１１となっており、釣り針と別体に設けられた楕円リングＡが一対のＪ字状のフック部１Ａに共通に挿通されている。【選択図】図１
0003209829.tif 000002
【実用新案登録請求の範囲】
【請求項１】
ルアー用の疑似餌部に取り付けられる連続した１本の金属線からなる釣り針であって、
一対のＪ字状のフック部の上端がループ状の取付け部となっており、
前記釣り針と別体に設けられた楕円リングが一対のＪ字状のフック部に共通に挿通されている釣り針。
【請求項２】
前記楕円リングの長径（Ｌ１）が、前記釣り針の幅（Ｌ３）より小さい請求項１記載の釣り針。
【請求項３】
前記楕円リングの長径（Ｌ１）が、前記取付け部の幅（Ｌ２）より大きい請求項１記載の釣り針。
【請求項４】
前記釣り針が、楕円リングが挿通された状態で疑似餌部に固定具を介して取り付けられている請求項１記載の釣り針。
【考案の詳細な説明】
【技術分野】
【０００１】
本考案は、魚釣り用のルアーに用いる釣り針に関し、更に詳しくは楕円リングを備えた釣り針及び疑似餌部の取り付けられた釣り針に関する。
【背景技術】
【０００２】
釣りは海洋国である本邦において、レジャーとして広く親しまれており、これに用いる釣り具にも様々なものが開発されている。
【０００３】
例えば、目的とする魚の種類に応じて虫や練り餌の代わりにルアーを用いる釣りや、このルアーに取り付ける釣り針がある（特許文献１、特許文献２、特許文献３）。
【０００４】
中〜大型魚用のルアーとしては、細長い小魚を模した疑似餌部の下部或いは尾部に、それぞれ二股に分かれた釣り針を取り付けるものがある。
これは、疑似餌部の下部及び尾部に設けられたリングに釣り針を引掛けて使用するものである。
釣り針を疑似餌部に引掛けて取り付けるだけの構成であるが、その釣り効果は大きい。
【０００５】
しかし、かかる釣り針は、自体の重さが軽いため姿勢が変わり易く安定しない欠点がある。
例えば、水流や釣り針自体の浮力によって垂下せず、水中で水平状態になることが多い。
【０００６】
このような状態では、魚が疑似餌部に食い付こうとしても針先が魚の上顎の方向を向いていないため、適切に針が魚に掛からない。
更にいうと、浮き草等が引っ掛かったり、或いは、魚が食い付いた際の衝撃等によって、釣り針が疑似餌部に対して動き、予期せず釣り針が疑似餌部から外れてしまうことがある。
【先行技術文献】
【特許文献】
【０００７】
【特許文献１】特開２０００−１９７４３０号公報
【特許文献２】特開２００６−６１９９号公報
【特許文献３】特開２０１６−２０８８９８号公報
【考案の概要】
【考案が解決しようとする課題】
【０００８】
本考案は、上述の課題を受けて開発されたものである。
すなわち、本考案は、ルアーを水中へ投下した際にも釣り針が疑似餌部に対して下向きに垂下した状態を維持でき、かつ釣り針が疑似餌部から外れず、また釣り針と楕円リングの組み付けが容易な釣り針を提供することを目的とする。
【課題を解決するための手段】
【０００９】
本考案者らは鋭意検討の結果、釣り針に楕円状のリングを設けることで、水中での釣り針の動きを安定化させ、且つ釣り針が疑似餌部から外れないようになることを見出した。
本考案はこの知見に基づくものである。
【００１０】
すなわち本考案は、（１）、ルアー用の疑似餌部２に取り付けられる連続した１本の金属線からなる釣り針１であって、一対のＪ字状のフック部１Ａの上端がループ状の取付け部１１となっており、前記釣り針１と別体に設けられた楕円リングＡが一対のＪ字状のフック部１Ａに共通に挿通されている釣り針１に存する。
【００１１】
すなわち本考案は、（２）、前記楕円リングの長径（Ｌ１）が、前記釣り針の幅（Ｌ３）より小さい上記（１）記載の釣り針に存する。
【００１２】
すなわち本考案は、（３）、前記楕円リングの長径（Ｌ１）が、前記取付け部１１の幅（Ｌ２）より大きい上記（１）記載の釣り針に存する。
【００１３】
すなわち本考案は、（４）、前記釣り針が、楕円リングが挿通された状態で疑似餌部に固定具を介して取り付けられている上記（１）記載の釣り針に存する。
【考案の効果】
【００１４】
本考案は、ルアー用の疑似餌部２に取り付けられる連続した１本の金属線からなる釣り針１であって、一対のＪ字状のフック部１Ａの上端がループ状の取付け部１１となっており、前記釣り針１と別体に設けられた楕円リングＡが一対のＪ字状のフック部１Ａに共通に挿通されているので、水中へ投下した際にも釣り針が疑似餌部２に対して下向きに垂下した状態を維持できる。
【００１５】
また、楕円リングＡを備えているため釣り針１が疑似餌部２から外れることはない。
そして楕円リングＡがループ状の取付け部１１に挿入し易いので、釣り針本体と楕円リングＡとの組み付けが容易に可能となる。
【００１６】
また、楕円リングＡの長径（Ｌ１）が、前記ループ状の釣り針１の幅（Ｌ３）より小さいことにより、楕円リングＡが釣り針から離脱するようなことがない。
【００１７】
また、楕円リングＡの長径（Ｌ１）が、前記ループ状の取付け部１１の幅（Ｌ２）より大きいことにより、楕円リングＡを容易に釣り針本体に挿通でき組み付けが容易となる。
【図面の簡単な説明】
【００１８】
【図１】図１は、楕円リングを備えた釣り針を示す図であり、（Ａ）は正面図、（Ｂ）は側面図を示す。
【図２】図２は、釣り針を取り付けた疑似餌部を示す側面図である。
【図３】図３は、水中における楕円リングを備えた釣り針の動きを示す図である。
【図４】図４は、水中における楕円リングを備えていない釣り針の動きを示す図である。
【図５】図５は、釣り針が固定具から外れる様子を示す図であり、（Ａ）は垂下状態、（Ｂ）は水平状態を示す。
【図６】図６は、楕円リングを備えた釣り針が固定具から外れない様子を示す図であり、（Ａ）は垂下状態、（Ｂ）は水平状態を示す。
【図７】図７は、釣り針本体と楕円リングとの大きさ関係を示した図である。
【考案を実施するための形態】
【００１９】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
本考案の釣り針１は、楕円リングＡが備わっていることに特徴があり、ルアー用の疑似餌部２に取り付けられて使用されるものである。
【００２１】
図１は、楕円リングＡを備えた釣り針１を示す図であり、図１（Ａ）は正面図、図１（Ｂ）は側面図を示す。
【００２２】
また図２は、釣り針１を取り付けた疑似餌部２を示す側面図である。
本考案の釣り針は、ルアー用の疑似餌部２に取り付けられる連続した１本の金属線からなる釣り針１であって、一対のＪ字状のフック部１Ａの上端がループ状の取付け部１１となっている。
また、前記釣り針と別体に設けられた楕円リングＡが一対のＪ字状のフック部１Ａに共通に挿通されているものである。
【００２３】
（釣り針本体）
更に釣り針本体についていうと、釣り針１は、１本の金属線を屈曲して二股状に形成したものでその両端が針先部１３となっている。
そして、釣り針本体は一対のＪ字状のフック部１Ａを備えており、その中央の上端はループ状の取付け部１１が形成されている。
Ｊ字状のフック部１Ａの面は互いに面一の面ではなく、少し角度を持たせて配置されている。
【００２４】
また、Ｊ字状のフック部１Ａは、直線状に揃えられた平行部１２と屈曲された針先部１３とよりなり、この針先部１３は、先端に至るに従って互いに遠ざかるように形成されている。
この針先部１３には逆止突起を設けることも当然可能である。
また、平行部１２はＪ字状のフック部１Ａ同士が近接する部分であり、上端はループ状に屈曲して連結している。
ループ状の取付け部１１は後述する固定具Ｐを介して釣り針１を疑似餌部２に取り付けるために設けられるものである。
【００２５】
いま、釣り針１を疑似餌部２に取り付ける場合、釣り針１の動きの自由度が十分得られるように、固定具Ｐを介して取り付けられている。
固定具Ｐの形態により取り付け方法が異なるが、例えば、ネジ付きフック環であれば、フック環を疑似餌部２に捻じ込み、フック環に釣り針のループ状の取付け部１１を引っ掛けフック環をカシメて閉じる。
【００２６】
（楕円リングＡ）
次に、楕円リングＡについていうと、楕円リングＡは楕円状に形成されたリングであり、抜けない状態で釣り針１と疑似餌部２との間で配設されている。
楕円リングＡは、釣り針１とによって特有の相乗効果を発揮するものであるが、これについては後述する。
楕円リングＡは、Ｊ字状のフック部１Ａに共通に挿通されており、釣り針１を疑似餌部２に取り付ける前に、釣り針本体の平行部１２に挿通して取り付ける。
【００２７】
（姿勢安定化機能）
釣り針は、この楕円リングＡがあることにより、安定して下方に垂下された状態となる。
すなわち、楕円リングＡは、一定の重量を有するため、釣り針１のＪ字状のフック部１Ａのフック状になった部分（針先部１３）に安定して位置決めされ、水中における釣り針の姿勢が安定し易い（姿勢安定化機能）。
【００２８】
図３は、水中における楕円リングＡを備えた釣り針１の動きを示す図である。
尚、矢印は、釣り針１の水中での動きを示す。
釣り針にこのような楕円リングＡが設けられていることにより、多少の揺動はするものの、楕円リングＡの重みで釣り針１が疑似餌部２に対して下向きに垂下した状態（すなわち、Ｊ字状のフック部１Ａの針先部１３が上方を向いた状態）をほぼ維持できる。
これにより、Ｊ字状のフック部１Ａが魚の食い付き易い状態に保持されるのである。
【００２９】
参考までに、楕円リングＡがない場合のデメリットを述べる。
図４は、水中における楕円リングＡを備えていない釣り針１の動きを示す図である。
尚、矢印は、釣り針１の水中での動きを示す。
このように楕円リングＡを備えていない釣り針１の場合、楕円リングＡの重しが効かないため、釣り針１の姿勢が不安定となる。
そのため水中で釣り針１は疑似餌部２に沿って水平に近い状態になり易く、これにより、後述するように、釣り針１が水中で疑似餌部２から外れる現象が生じる。
【００３０】
尚、以上述べた楕円リングＡには、重量と耐水性の観点からステンレス等の金属が好ましく用いられる。また釣り針１にも、楕円リングＡ同様の観点から、ステンレス等の金属が好適に用いられる。
【００３１】
（抜け落ち防止機能）
ところで、楕円リングＡの機能として抜け落ち防止機能がある。
従来のように楕円リングＡを備えていない釣り針１は、固定具Ｐから外れ、その結果、疑似餌部２から離脱してしまう現象が生じる。
しかし、本考案のように、楕円リングＡを備えることにより、釣り針１が疑似餌部２から不用意に外れることがない。
以下その理由について述べる。
【００３２】
参考までに、図５は、釣り針１が固定具Ｐから外れる様子を示す図であり、図５（Ａ）は垂下状態、図５（Ｂ）は、水平状態を示す。
矢印は、釣り針１の固定具Ｐに対する動きを示す。
通常、釣り針１は、水中又は水面近くでは、大きく振動或いは揺動を起こすが、釣り針が固定具Ｐから外れ、その結果、疑似餌部２から離脱することがある。
固定具Ｐが釣り針１の平行部１２の間を通って抜けてしまうのである。
【００３３】
図５（Ａ）に示すように、釣り針１が垂下した状態にあるときは、まず抜けることはないが、振動や揺動を受け、図５（Ｂ）の状態となると、釣り針１が疑似餌部２に沿って並ぶようになる（図では水平方向になる）。
【００３４】
そして、更に固定具Ｐが釣り針１の平行部１２の間を、図の矢印のように通り抜けると、抜け落ちるのである。
本考案の楕円リングＡを備えた釣り針１は、このように抜け落ちることが確実に防止される利点がある。
【００３５】
図６は、楕円リングＡを備えた釣り針１が固定具Ｐから外れない様子を示す図であり、（Ａ）は垂下状態、（Ｂ）は、水平状態を示す。
釣り針１が垂下した状態にあるときは、まず抜けることはない
釣り針１が楕円リングＡを備えている場合、図６（Ａ）のような釣り針１が垂下した状態から、図６（Ｂ）のように、疑似餌部２に沿って並ぶようになったとする（図では水平方向になる）。
【００３６】
しかし、固定具Ｐは楕円リングＡに阻まれて釣り針１の平行部１２を通過することは不可能である。
そのため、釣り針１が激しく魚に引っ張られたような場合であっても、疑似餌部２から外れない。
楕円リングＡが壊れるか、針先部１３が伸びきらない限り外れることはないのである。
尚、積極的に、釣り針１を疑似餌部２から取り外す場合には、まず固定具Ｐを疑似餌部２から取り外すか、或いは固定具Ｐを切断して、釣り針１のル−プ状の取付け部１１を固定具Ｐから外す。
【００３７】
（組み付け容易機能）
楕円リングＡは、釣り針本体に挿入されることにより組み付けられるものであり、そのため、楕円リングＡの長径Ｌ１がループ状の取付け部１１の幅Ｌ２より大きく形成されている。これにより、組み付けが容易となる。
また、楕円リングＡが一旦、釣り針本体に装着された後は針先部１３の方から抜け出さないように、楕円リングＡの長径Ｌ１は、釣り針１の最大幅Ｌ３より小さく設定されている。
【００３８】
図７は、釣り針本体と楕円リングＡとの大きさ関係を示した図である。  
この場合、楕円リングＡを指で摘まんで挿入操作する場合、楕円リングＡが、例えば円形のリングより持ち易いためループ状の取付け部１１への挿入操作が簡単で、その結果、組み付けが極めて容易となる。
【００３９】
また、楕円リングＡと円形のリングとが例えば同じ周囲長（すなわち同じ重量）であるとすると、必然的に楕円リングＡの長径Ｌ１が円形のリングの直径より大きくなるので楕円リングの方が挿入し易いこととなる。
【００４０】
尚、楕円リングＡの長径Ｌ１は、釣り針１の幅Ｌ３（図７参照）よりも小さく形成されており、釣り針１に取り付けた楕円リングＡがループ状のフック部１Ａの側から抜け落ちることがない。
【００４１】
ところで、本考案の釣り針１が取り付けられた疑似餌部２は、通常、魚を模した細長い略流線形状に設けられており、魚の捕食対象と同程度の大きさに設定される。
疑似餌部２の下部や尾部には、釣り針１を固定するための固定具Ｐが一つ或いは複数設けられる。
【００４２】
釣り針１は、その望む任意の位置の固定具Ｐに取り付けられて使用される。
ルアーを使用する際には、上述の通り、楕円リングＡを備えた釣り針１を固定具Ｐを介して疑似餌部２に取り付けて使用する。
この際、単一の釣り針１を固定具Ｐにより取り付けることも、複数の釣り針１を固定具Ｐにより取り付けることも当然可能である。
【００４３】
釣り針１を取り付けた疑似餌部２は、釣り糸を介して釣り竿に取り付けられルアー釣りに使用される
【００４４】
以上、本考案の好適な実施形態について説明したが、本考案は上記実施形態に限定されるものではない。
【００４５】
楕円リングＡは、長手方向が短手方向に対して長く、ループ状の取付け部１１を通せるものであれば、長円形、角形等、他の形状への変更が可能である。
【００４６】
楕円リングＡの素材は、水より比重が重く耐水性のある素材が採用できる。
【００４７】
釣り針１の形状は楕円リングＡが取り付けられる形状であれば、採用可能であり、例えば、釣り針１の先端を３股とすることも可能である。
【００４８】
疑似餌部２は、魚類を模した形の他、ナマコ状の形状、吹き流し状等、任意の形状を用いることができる。
また、疑似餌部２に関節を設け、蛇行状の動きができるようにすることも可能である。
【産業上の利用可能性】
【００４９】
本考案の釣り針は、楕円リングＡを備えた釣り針１であり、ルアーを水中へ投下した際にも釣り針１が疑似餌部２に対して下向きに垂下した状態を維持でき、かつ釣り針が疑似餌部２から外れず、また釣り針１と楕円リングＡとの組み付けが容易である。
この原理を有する限り、ルアー釣り以外の釣りにも適用可能である。
【符号の説明】
【００５０】
１・・・釣り針
１Ａ・・・Ｊ字状のフック部
１１・・・ループ状の取付け部
１２・・・平行部
１３・・・針先部
２・・・疑似餌部
Ｐ・・・固定具
Ａ・・・楕円リング
Ｌ１・・・楕円リングの長径
Ｌ２・・・ループ状の取付け部の幅
Ｌ３・・・釣り針の幅
【図１】
0003209829.tif 000003
【図２】
0003209829.tif 000004
【図３】
0003209829.tif 000005
【図４】
0003209829.tif 000006
【図５】
0003209829.tif 000007
【図６】
0003209829.tif 000008
【図７】
0003209829.tif 000009